(57)【要約】【課題】  ユーザがある画像要素に注目して複数の文書画像のうちから所望の文書画像を好適に探し出せるようになる文書表示装置を提供すること。【解決手段】  文書データ取得部３０は、複数の文書画像の各々について、該文書画像に含まれる画像要素ごとに分けて生成された画像要素データを取得する。画像要素指定受付部３１は、一部の画像要素の指定を受け付ける。表示制御部３２は、表示対象の文書画像を順次変えながら、該表示対象の文書画像について、文書データ取得部３０によって取得される画像要素データのうち、画像要素指定受付部３１によって受け付けられる指定に係る画像要素に対応する画像要素データに基づく画像を、文書表示部３３に表示させる。【選択図】        図３
2006092046.tif 000002
【特許請求の範囲】
【請求項１】
複数の文書画像の各々について、該文書画像に含まれる画像要素ごとに分けて生成された画像要素データを取得する画像要素データ取得手段と、
一部の画像要素の指定を受け付ける画像要素指定受付手段と、
表示対象の文書画像を順次変えながら、該表示対象の文書画像について、前記画像要素データ取得手段によって取得される画像要素データのうち、前記画像要素指定受付手段によって受け付けられる指定に係る画像要素に対応する画像要素データに基づく画像を表示する表示手段と、
を含むことを特徴とする文書表示装置。
【請求項２】
請求項１に記載の文書表示装置において、
前記画像要素データは、該画像要素データに係る画像要素に対応する圧縮方式で圧縮されたデータであり、
前記画像要素指定受付手段は、一部の圧縮方式の指定を受け付け、
前記表示手段は、表示対象の文書画像を順次変えながら、該表示対象の文書画像について、前記画像要素データ取得手段によって取得される画像要素データのうち、前記画像要素指定受付手段によって受け付けられる指定に係る圧縮方式で圧縮された画像要素データに基づく画像を表示する、
ことを特徴とする文書表示装置。
【請求項３】
複数の文書画像の各々について、該文書画像に含まれる画像要素ごとに分けて生成された画像要素データを取得する画像要素データ取得ステップと、
一部の画像要素の指定を受け付ける画像要素指定受付ステップと、
表示対象の文書画像を順次変えながら、該表示対象の文書画像について、前記画像要素データ取得ステップによって取得される画像要素データのうち、前記画像要素指定受付ステップによって受け付けられる指定に係る画像要素に対応する画像要素データに基づく画像を表示手段に表示させる表示ステップと、
を含むことを特徴とする文書表示装置の制御方法。
【請求項４】
文書表示装置としてコンピュータを機能させるためのプログラムであって、
複数の文書画像の各々について、該文書画像に含まれる画像要素ごとに分けて生成された画像要素データを取得する画像要素データ取得手段、
一部の画像要素の指定を受け付ける画像要素指定受付手段、及び、
表示対象の文書画像を順次変えながら、該表示対象の文書画像について、前記画像要素データ取得手段によって取得される画像要素データのうち、前記画像要素指定受付手段によって受け付けられる指定に係る画像要素に対応する画像要素データに基づく画像を表示する表示手段、
として前記コンピュータを機能させるためのプログラム。
【発明の詳細な説明】
【技術分野】
【０００１】
本発明は文書表示装置、文書表示装置の制御方法及びプログラムに関する。
【背景技術】
【０００２】
複数の文書画像を表示する文書表示装置が知られている。例えば、特許文献１には、各文書画像を順次表示する文書表示装置について開示されている。また、特許文献２には、各文書画像をユーザが指定した速度で順次表示する文書表示装置について開示されている。
【特許文献１】特開平０７−２９６０１０号公報
【特許文献２】特開平０７−２９５９９６号公報
【発明の開示】
【発明が解決しようとする課題】
【０００３】
文書画像には例えば文字（テキスト）部分、線画部分、写真部分などの各種画像要素が含まれているのが一般的であり、ユーザはある画像要素に注目して複数の文書画像のうちから所望の文書画像を探し出そうとする場合がある。この点、以上のような文書管理装置では、そのようにして所望の文書画像を探し出そうとする場合であっても、文書画像を１つずつ閲覧していかなければならず、ユーザにとって好適なものとはなっていなかった。
【０００４】
本発明は上記課題に鑑みてなされたものであって、その目的は、ユーザがある画像要素に注目して複数の文書画像のうちから所望の文書画像を好適に探し出せるようになる文書表示装置、文書表示装置の制御方法及びプログラムを提供することにある。
【課題を解決するための手段】
【０００５】
上記課題を解決するために、本発明に係る文書表示装置は、複数の文書画像の各々について、該文書画像に含まれる画像要素ごとに分けて生成された画像要素データを取得する画像要素データ取得手段と、一部の画像要素の指定を受け付ける画像要素指定受付手段と、表示対象の文書画像を順次変えながら、該表示対象の文書画像について、前記画像要素データ取得手段によって取得される画像要素データのうち、前記画像要素指定受付手段によって受け付けられる指定に係る画像要素に対応する画像要素データに基づく画像を表示する表示手段と、を含むことを特徴とする。
【０００６】
また、本発明に係る文書表示装置の制御方法は、複数の文書画像の各々について、該文書画像に含まれる画像要素ごとに分けて生成された画像要素データを取得する画像要素データ取得ステップと、一部の画像要素の指定を受け付ける画像要素指定受付ステップと、表示対象の文書画像を順次変えながら、該表示対象の文書画像について、前記画像要素データ取得ステップによって取得される画像要素データのうち、前記画像要素指定受付ステップによって受け付けられる指定に係る画像要素に対応する画像要素データに基づく画像を表示手段に表示させる表示ステップと、を含むことを特徴とする。
【０００７】
また、本発明に係るプログラムは、文書表示装置として、パーソナルコンピュータなどのコンピュータを機能させるためのプログラムであって、複数の文書画像の各々について、該文書画像に含まれる画像要素ごとに分けて生成された画像要素データを取得する画像要素データ取得手段、一部の画像要素の指定を受け付ける画像要素指定受付手段、及び、表示対象の文書画像を順次変えながら、該表示対象の文書画像について、前記画像要素データ取得手段によって取得される画像要素データのうち、前記画像要素指定受付手段によって受け付けられる指定に係る画像要素に対応する画像要素データに基づく画像を表示する表示手段、として前記コンピュータを機能させるためのプログラムである。
【０００８】
本発明では、複数の文書画像の各々について、該文書画像に含まれる画像要素ごとに分けて生成された画像要素データが取得される。また、一部の画像要素の指定が受け付けられる。そして、表示対象の文書画像を順次変えながら、該表示対象の文書画像について、該指定に係る画像要素に対応する画像要素データに基づく画像が表示される。本発明によれば、ユーザがある画像要素に注目して、複数の文書画像のうちから所望の文書画像を好適に探し出せるようにすることができるようになる。
【０００９】
また、本発明の一態様では、前記画像要素データは、該画像要素データに係る画像要素に対応する圧縮方式で圧縮されたデータであり、前記画像要素指定受付手段は、一部の圧縮方式の指定を受け付け、前記表示手段は、表示対象の文書画像を順次変えながら、該表示対象の文書画像について、前記画像要素データ取得手段によって取得される画像要素データのうち、前記画像要素指定受付手段によって受け付けられる指定に係る圧縮方式で圧縮された画像要素データに基づく画像を表示するようにしてもよい。
【発明を実施するための最良の形態】
【００１０】
以下、本発明の好適な実施の一形態について図面に基づき詳細に説明する。
【００１１】
図１は、本実施の形態に係る文書表示装置の全体構成を示す図である。文書表示装置１０は、例えばパーソナルコンピュータなどのコンピュータによって構成され、同図に示すように、制御部１１と、記憶部１２と、表示部１３と、入力部１４とを含んでいる。
【００１２】
制御部１１は、記憶部１２に格納されているプログラムに従って動作しており、例えば複数ページを有する文書データを表示部１３に表示させる処理を実行する。
【００１３】
記憶部１２は、コンピュータ読み取り可能な情報記憶媒体と当該情報記憶媒体に対してデータを書き込み、又は当該情報記憶媒体かデータを読み出す装置（例えばハードディスク装置やメモリ装置）によって実現される。記憶部１２は、制御部１１によって実行されるプログラムを記憶する。また、記憶部１２は、制御部１１の処理の過程で必要となる種々のデータを記憶するワークメモリとしても動作する。
【００１４】
表示部１３は、例えばディスプレイ装置によって実現され、制御部１１から入力される指示に従って画像の表示を行う。入力部１４は、例えばマウスやキーボードなどの入力装置によって実現される。
【００１５】
本実施の形態に係る文書表示装置１０では、複数のページからなる文書データを閲覧するための文書閲覧アプリケーションが実行される。この文書閲覧アプリケーションは、通常閲覧モードと、探索閲覧モードとの２つのモードを備えている。
【００１６】
図２は、通常閲覧モードの画面（通常閲覧画面）を示している。同図に示すように、通常閲覧画面には、文書表示領域２０と、カーソル２１と、前ボタン２２と、次ボタン２３と、探索閲覧ボタン２４とが含まれている。
【００１７】
文書表示領域２０には、文書データの各ページの画像が表示される。文書閲覧アプリケーションが起動され、閲覧対象の文書データが特定された場合には、その文書データの１ページ目の画像が文書表示領域２０に表示されるようになっている。なお、文書データの各ページの画像には、文字部分２５、線画部分２６、写真部分２７などの画像要素が含まれ得る。
【００１８】
カーソル２１は、例えば文書表示装置１０に備えられたマウスの操作に応じて画面上を移動する画像である。通常閲覧画面では、ユーザがカーソル２１を文書表示領域２０上に移動させ、マウスをクリックすると（すなわち、文書表示領域２０をクリックすると）、現在表示中のページの次のページの画像が文書表示領域２０に表示されるようになっている。同様に、ユーザが次ボタン２３をクリックした場合にも、次のページの画像が文書表示領域２０に表示されるようになっている。また、ユーザが前ボタン２２をクリックすると、現在表示中のページの前のページの画像が文書表示領域２０に表示されるようになっている。
【００１９】
通常閲覧画面において、ユーザが探索閲覧ボタン２４をクリックすると、文書閲覧アプリケーションは通常閲覧モードから探索閲覧モードへと移行され、探索閲覧モードの画面（探索閲覧画面）が表示されるようになっている。この探索閲覧モードでは、ユーザが所望のページを所望の画像要素に注目して好適に探し出せるようになっている。以下、探索閲覧モードに係る構成について説明する。
【００２０】
まず、文書表示装置１０において実現される機能ブロックについて説明する。図３は、文書表示装置１０において実現される機能ブロックのうち、本発明に関連するものを中心として示す図である。同図に示すように、文書表示装置１０は、文書データ取得部３０と、画像要素指定受付部３１と、表示制御部３２と、文書表示部３３とを含んで構成される。
【００２１】
これらの機能のうち、画像要素指定受付部３１は入力部１４を含んで構成される。文書表示部３３は表示部１３を含んで構成される。また、以上の機能は、制御部１１によってプログラム（コンピュータにより読み取り可能な情報記憶媒体や通信ネットワークによって供給されるプログラム）が実行されることによって実現される。
【００２２】
［１．文書データ取得部］
文書データ取得部３０は文書データを取得する。例えば、文書データが記憶部１２（ハードディスク装置など）に記憶されている場合、文書データ取得部３０は記憶部１２から文書データを読み出す。また例えば、文書表示装置１０と通信可能な文書管理装置に文書データが記憶されている場合、文書データ取得部３０は該文書管理装置に記憶されている文書データを取得する。例えば、文書データ取得部３０は、文書データ配信要求を文書管理装置に送信し、該文書データ取得要求に応じて文書管理装置から送信される文書データを受信する。
【００２３】
文書表示装置１０（文書閲覧アプリケーション）で扱われる文書データは、複数のページからなる文書のデータであり、各ページごとの画像データ（各ページの画像を表す画像データ）を含んで構成される。
【００２４】
図２において説明したように、各ページの画像には文字部分２５、線画部分２６、写真部分２７などの各種の画像要素が含まれ得る。こうした画像要素は互いに性状が異なることから、例えば圧縮処理において異なる方式での圧縮が適していたりするなど、画像要素ごとに異なる画像処理を行うことが好ましい場合が多い。このため、本実施の形態に係る文書データでは、各ページごとの画像データがそのページに含まれる画像要素ごとに分けて生成された画像要素データ（すなわち、そのページの画像に含まれる各画像要素に対応する画像要素データ）の集合（画像要素データ群）として構成されている。
【００２５】
より具体的には、各ページの画像データは、例えば図４に示すように、文字部分２５を表す画像要素データ４０（以下、文字レイヤデータ４０と呼ぶ。）と、線画部分２６を表す画像要素データ４１（以下、線画レイヤデータ４１と呼ぶ。）と、写真部分２７を表す画像要素データ４２（以下、写真レイヤデータ４２と呼ぶ。）との少なくとも１つを含んで構成される、階層構造形式の画像データとなっている。
【００２６】
文字レイヤデータ４０，線画レイヤデータ４１，写真レイヤデータ４２は、各々に係る画像要素の属性（性状）に応じた圧縮方式で圧縮されたデータとなっている。例えば、文字部分２５を表示するための文字レイヤデータ４０は、かかる画像要素に適した２値系圧縮方式（例えば、Ｇ４，ＪＢＩＧ，ＪＢＩＧ２などの圧縮方式）によって圧縮された画像データとなっている。また、線画部分２６を表示するための線画レイヤデータ４１や、写真部分２７を表示するための写真レイヤデータ４２は、かかる画像要素に適した多値系圧縮方式（例えば、ＪＰＥＧ，ＪＰＥＧ２０００などの圧縮方式）によって圧縮された画像データとなっている。
【００２７】
文書閲覧アプリケーションの通常閲覧画面（図２）には、表示対象ページの画像が該ページに係る画像要素データに基づいて表示される。例えば、表示対象ページに文字レイヤデータ４０と、線画レイヤデータ４１と、写真レイヤデータ４２とが関連づけられている場合、その文字レイヤデータ４０に基づく画像（すなわち、文字部分２５を表す画像）と、線画レイヤデータ４１（すなわち、線画部分２６を表す画像）と、写真レイヤデータ４２（すなわち、写真部分２７を表す画像）とが合成されてなる画像が表示される。
【００２８】
［２．画像要素指定受付部］
画像要素指定受付部３１は、文書に含まれ得る画像要素のうちの一部の画像要素の指定を受け付ける。画像要素指定受付部３１は、文字レイヤデータ４０などの圧縮に用いられ得る圧縮方式のうちの一部の圧縮方式の指定を受け付けることによって、少なくとも１つの画像要素の指定を受け付けるようにしてもよい。
【００２９】
画像要素指定受付部３１は、例えば図５に示すような画像要素選択画面を表示し、ユーザに任意の画像要素を選択するよう案内するようにしてもよい。この画面では、ユーザは画像要素の種類（文字，線画，絵柄）のうちの少なくとも１つを選択し、選択ボタン５０をクリックする。選択ボタン５０がクリックされた場合、画像要素指定受付部３１は、ユーザの選択内容を取得し、その内容を表示制御部３２が参照できるように記憶部１２に保持させる。
【００３０】
また、画像要素指定受付部３１は、例えば図６に示すような圧縮方式選択画面を表示し、ユーザに任意の圧縮方式を選択するように案内するようにしてもよい。すなわち、ユーザに圧縮方式を選択させることによって画像要素を選択させるようにしてもよい。この画面では、ユーザは圧縮方式の種類（２値系圧縮，多値系圧縮）の少なくとも１つを選択し、選択ボタン６０をクリックする。選択ボタン６０がクリックされた場合、画像要素指定受付部３１は、ユーザの選択内容を取得し、その内容を表示制御部３２が参照できるように記憶部１２に保持させる。
【００３１】
なお、図５や図６に示すような画面は、例えば通常閲覧画面（図２）において、探索表示ボタン２４がクリックされた場合に表示されるようにすればよい。また、図５に示す画面と図６に示す画面とを組み合わせたような画面を表示するようにしてもよい。
【００３２】
［３．表示制御部及び文書表示部］
表示制御部３２は、表示対象のページを順次変えながら、該表示対象のページに係る画像要素データのうち、画像要素指定受付部３１によって受け付けられる画像要素に対応する画像要素データに基づく画像を文書表示部３３に表示させる。なお、表示制御部３２は、ユーザの所定操作に応じて表示対象のページを変えるようにしてもよいし、所定のタイミングで自動的に表示対象のページを変えるようにしてもよい。
【００３３】
表示制御部３２は、例えば図７に示すような探索閲覧モードの画面（探索閲覧画面）を文書表示部３３に表示させる。同図に示すように、探索閲覧画面には、文書表示領域７０と、カーソル７１と、前ボタン７２と、次ボタン７３と、通常閲覧ボタン７４と、再選択ボタン７５とが含まれている。
【００３４】
文書表示領域７０には、表示対象のページに含まれる画像要素のうち、画像要素指定受付部３１によって受け付けられた指定に係る画像要素のみが表示される。図７は、図５に示す画像要素選択画面において「線画」及び「写真」が選択された場合において、図２に示す通常閲覧画面において表示されたページと同じページを表示した場合の例を示している。同図の示すように、この場合、そのページに含まれる画像要素（文字部分２５、線画部分２６、写真部分２７）のうち、線画部分２６及び写真部分２７のみが表示される。
【００３５】
カーソル７１は、カーソル２１と同様、例えば文書表示装置１０に備えられたマウスの操作に応じて画面上を移動する画像である。ユーザがカーソル７１を通常閲覧ボタン７４上に移動させ、マウスをクリックすると（すなわち、通常閲覧ボタン７４をクリックすると）、通常閲覧画面（図２）が表示される。このとき、通常閲覧画面には、通常閲覧ボタン７４がクリックされた際に探索閲覧画面において表示されていたページが表示される。また、ユーザが再選択ボタン７５をクリックすると、画像要素選択画面（図５）や圧縮方式選択画面（図６）が表示される。
【００３６】
探索閲覧画面では、ユーザが文書表示領域７０をクリックしたり、次ボタン７３をクリックすると、現在表示中のページよりも後のページであって、画像要素指定受付部３１によって受け付けられる指定に係る画像要素を含むページが表示対象のページとなる。また、ユーザが前ボタン７２をクリックすると、現在表示中のページよりも前のページであって、画像要素指定受付部３１によって受け付けられる指定に係る画像要素を含むページが表示対象のページとなる。
【００３７】
ここで、表示制御部３２によって実行される処理についてさらに詳しく説明する。図８は、ユーザによって文書表示領域７０がクリックされたり、次ボタン７３がクリックされた場合に実行される処理（次ページ表示処理）を示すフロー図である。
【００３８】
なお、この次ページ表示処理は、コンピュータにより読み取り可能な情報記憶媒体や通信ネットワークによって供給されるプログラムが制御部１１によって実行されることによって実現される。また、ここでは、画像要素選択画面（図５）において「線画」及び「写真」が選択されたこととして説明する。
【００３９】
同図に示すように、次ページ表示処理では、まず表示制御部３２がユーザによってなされた画像要素の指定内容を取得する（Ｓ１０１）。すなわち、画像要素選択画面（図５）における選択内容を取得する。上述したように、かかる選択内容は記憶部１２に保持されるようになっているため、表示制御部３２は記憶部１２の記憶内容を参照することによって、かかる取得を行う。
【００４０】
次に、表示制御部３２は次のページが存在するか否かを判断する（Ｓ１０２）。次のページが存在しないと判断した場合、表示制御部３２は所定のメッセージを表示させる（Ｓ１０６）。この場合、本処理は終了する。
【００４１】
一方、次のページが存在すると判断した場合、表示制御部３２は、ユーザによって指定された画像要素が次のページの画像に含まれるか否かを判断する（Ｓ１０３）。より具体的には、次のページに関連づけられたレイヤデータ（画像要素データ）のうちに、Ｓ１０１において取得した指定内容に係る画像要素に対応するものが存在するか否かを判断する。例えば、次のページに関連づけられたレイヤデータのうちに、線画レイヤデータ又は写真レイヤデータが含まれているか否かを判断する。
【００４２】
ユーザによって選択された画像要素が次のページの画像に含まれないと判断した場合、表示制御部３２は、さらにその次のページが存在するか否かを判断し（Ｓ１０２）、そのページにユーザによって選択された画像要素が含まれるか否かを判断する（Ｓ１０３）。このように、表示制御部３２は、ユーザによって選択された画像要素を含むページが見つかるまで、或いは次のページが存在しなくなるまで、Ｓ１０２及びＳ１０３の処理を繰り返す。
【００４３】
ユーザによって選択された画像要素を含むページが見つかった場合（Ｓ１０２及びＳ１０３）、表示制御部３２は、そのページに関連づけられたレイヤデータのうち、その画像要素に対応するレイヤデータを読み出す（Ｓ１０４）。そして、そのレイヤデータに基づく画像を文書表示領域７０に表示させる（Ｓ１０５）。例えば、線画レイヤデータに基づく画像と、写真レイヤデータに基づく画像とを合成してなる画像を文書表示領域７０に表示させる。以上で、次ページ表示処理は完了する。
【００４４】
なお、圧縮方式選択画面（図６）を表示し、ユーザに任意の圧縮方式を選択させたような場合には、Ｓ１０１において、表示制御部３２は、ユーザによって選択された圧縮方式を取得するようにすればよい。また、Ｓ１０３において、表示制御部３２は、次のページに関連づけられたレイヤデータのうちに、ユーザによって選択された圧縮方式で圧縮されたレイヤデータが存在するか否かを判断するようにすればよい。また、Ｓ１０４において、表示制御部３２は、表示対象のページに関連づけられたレイヤデータのうち、ユーザによって選択された圧縮方式で圧縮されたレイヤデータに基づく画像を文書表示部３３に表示させるようにすればよい。
【００４５】
また、探索閲覧画面において前ボタン７２がクリックされた場合、表示制御部３２は、前ページ表示処理を実行する。前ページ表示処理は、次ページ表示処理と同様の処理とすればよい。例えば、Ｓ１０２において、表示制御部３２は前ページが存在するか否かを判断し、Ｓ１０３において、表示制御部３２はユーザによって選択された画像要素が前ページの画像に含まれているか否かを判断するようにすればよい。
【００４６】
以上に説明したように、探索閲覧画面（図７）では、ユーザは文書に含まれる線画部分のみを順次表示させたり、写真部分のみを順次表示させたりすることができるようになっている。そして、ユーザが通常閲覧ボタン７４をクリックすると、通常閲覧画面（図２）が表示され、探索閲覧画面に表示されていたページの画像が表示される。このため、文書表示装置１０では、ユーザは線画や写真など任意の画像要素のみを表示させ、目的の線画や写真を見つけたら、そのページ或いはその前後のページを参照することによって、所望のページを探し出すことができるようになっている。すなわち、文書表示装置１０によれば、ユーザは任意の画像要素に注目して、文書中から所望のページを好適に探し出すことができるようになる。
【００４７】
なお、本発明は以上説明した実施の形態に限定されるものではない。
【００４８】
例えば、通常閲覧画面（図２）や探索閲覧画面（図７）には文書表示領域２０，７０を複数設けるようにし、一画面に複数のページが表示されるようにしてもよい。
【００４９】
また例えば、本発明が対象とするのは複数のページからなる文書データに限られず、本発明は複数の文書画像を含んでなる文書画像群を対象とすることできるものである。
【図面の簡単な説明】
【００５０】
【図１】本実施の形態に係る文書表示装置の構成を示す図である。
【図２】通常閲覧画面の一例を示す図である。
【図３】本実施の形態に係る文書表示装置の機能ブロック図である。
【図４】文書の各ページの画像データの構成の一例を示す図である。
【図５】画像要素選択画面の一例を示す図である。
【図６】圧縮方式選択画面の一例を示す図である。
【図７】探索閲覧画面の一例を示す図である。
【図８】次ページ表示処理を示すフロー図である。
【符号の説明】
【００５１】
１０  文書表示装置、１１  制御部、１２  記憶部、１３  表示部、１４  入力部、２０，７０  文書表示領域、２１，７１  カーソル、２２，７２  前ボタン、２３，７３  次ボタン、２４  探索閲覧ボタン、２５  文字部分、２６  線画部分、２７  写真部分、３０  文書データ取得部、３１  画像要素指定受付部、３２  表示制御部、３３  文書表示部、４０  文字レイヤデータ、４１  線画レイヤデータ、４２  写真レイヤデータ、５０，６０  選択ボタン、７４  通常閲覧ボタン、７５  再選択ボタン。
【図１】
2006092046.tif 000003
【図２】
2006092046.tif 000004
【図３】
2006092046.tif 000005
【図４】
2006092046.tif 000006
【図５】
2006092046.tif 000007
【図６】
2006092046.tif 000008
【図７】
2006092046.tif 000009
【図８】
2006092046.tif 000010